(57)【特許請求の範囲】
【請求項１】
遊技の動作を制御する電子部品が実装された回路基板を基板ケースに収納するとともに、該基板ケースには、固有の識別情報を無線にて出力するシート状のＩＣタグを、該基板ケースを開いたときにＩＣタグが破壊されるように貼着せしめた遊技機の不正防止構造において、
前記基板ケースは、前記回路基板を覆う蓋部材と、該蓋部材を受ける底部材とからなり、
前記蓋部材および前記底部材を対向方向に組付け、両部材の側壁の端縁を衝合させて前記基板ケースを閉じる構成とし、
前記蓋部材および前記底部材の側壁の外面にはそれぞれ、両側壁の端縁を衝合させる衝合線沿いに、前記基板ケースが閉じられたときに相対向する開口縁が衝合して前記側壁の衝合線の上を覆う箱体を形成する半割り箱形状の突出部を形成するとともに、
前記側壁には前記突出部まわりに溝を形成し、
前記箱体の外面には前記両突出部の衝合線を跨ぐように前記ＩＣタグを貼着し、
前記箱体に、蓋形に形成したカバー部材を覆嵌するようになし、
該カバー部材の開口周縁には、これを前記溝に嵌入させたときに該溝に係止固定される爪を設けるとともに、前記開口周縁には前記爪に対応する位置に、前記開口周縁が前記溝に嵌入されたときに前記開口周縁と前記溝の開口との間の隙間を閉じる突縁を形成し、
前記箱体と、これに覆嵌するとともに開口周縁を前記溝に嵌入し、前記爪により係止固定した前記カバー部材の内面とで、前記ＩＣタグを挟み該ＩＣタグを前記カバー部材の内面に貼着せしめたことを特徴とする遊技機の不正防止構造。
【発明の詳細な説明】
【技術分野】
【０００１】
本発明は遊技機の不正防止構造に関する。
【背景技術】
【０００２】
パチンコ機などの遊技機には、遊技動作を制御する制御装置としてマイコンを構成するＭＰＵ、ＲＯＭ、ＲＡＭ等の電子部品が多数実装された回路基板が設けられている。これら回路基板は基板ケースに収納される。一般に、基板ケースは回路基板の表面側を覆う蓋部材と、裏面側を覆う底部材とを組付けて回路基板を収納する。
【０００３】
ところで遊技機では、前記回路基板のＲＯＭなどの電子部品を交換することにより、賞球を出しやすくするなど正規の遊技性能とは異なる遊技を実行させる不正行為が行われるおそれがある。
そこで従来の遊技機では、不正行為の発見や不正行為の防止を目的に、回路基板が収納された基板ケースに、これを構成する複数の部材に跨って、固有の識別情報を無線にて出力するシート状のＩＣタグを貼着することが行われている(例えば特許文献１参照。)。これによれば、ＲＯＭ等を不正に交換するために基板ケースが開かれるとＩＣタグが破壊され、ＩＣタグが破壊されることで識別情報が出力されなくなるので不正行為が発見できる。
【０００４】
また特許文献２には、工場において基板ケースを遊技機本体に組付ける組付工程や出荷後の輸送時などでＩＣタグの損傷を防ぐためにＩＣタグをカバー部材で覆うことが提案されている。尚、特許文献２には、カバー部材を基板ケースに開閉可能に設け、カバー部材を閉じてＩＣタグを覆うとともに、カバー部材の閉鎖端を基板ケースに係合せしめてカバー部を閉状態に保持し、かつＩＣタグとカバー部材との間に隙間を設けてカバー部材をＩＣタグに接触させない構成が記載されている。
【先行技術文献】
【特許文献】
【０００５】
【特許文献１】特許第４０４２１１６号
【特許文献２】特開２００９−１１７１６号
【発明の概要】
【発明が解決しようとする課題】
【０００６】
しかしながら、従来の不正防止構造では、ゴルフクラブのグリップなどを剥がすのに使用する溶液などによりＩＣタグが破壊されずに剥がされるおそれがある。これでは不正にＲＯＭなどを交換した後に基板ケースを閉じ、ＩＣタグを貼り直すことができるので、不正行為の発見および防止が困難となる。また特許文献２に記載の構成でもカバー部材が開かれて、ＩＣタグが剥がされるおそれがあり、不正行為の防止構造としては充分とはいえない。
そこで本発明は、不正行為により基板ケースを開こうとすると確実にＩＣタグが破壊され、不正行為の発見および不正行為の防止効果を奏することができる遊技機の不正防止構造を提供することを課題としてなされたものである。
【課題を解決するための手段】
【０００７】
請求項１に記載の発明は、
遊技の動作を制御する電子部品が実装された回路基板を基板ケースに収納するとともに、該基板ケースには、固有の識別情報を無線にて出力するシート状のＩＣタグを、該基板ケースを開いたときにＩＣタグが破壊されるように貼着せしめた遊技機の不正防止構造において、
前記基板ケースは、前記回路基板を覆う蓋部材と、該蓋部材を受ける底部材とからなり、
前記蓋部材および前記底部材を対向方向に組付け、両部材の側壁の端縁を衝合させて前記基板ケースを閉じる構成とし、
前記蓋部材および前記底部材の側壁の外面にはそれぞれ、両側壁の端縁を衝合させる衝合線沿いに、前記基板ケースが閉じられたときに相対向する開口縁が衝合して前記側壁の衝合線の上を覆う箱体を形成する半割り箱形状の突出部を形成するとともに、
前記側壁には前記突出部まわりに溝を形成し、
前記箱体の外面には前記両突出部の衝合線を跨ぐように前記ＩＣタグを貼着し、
前記箱体に、蓋形に形成したカバー部材を覆嵌するようになし、
該カバー部材の開口周縁には、これを前記溝に嵌入させたときに該溝に係止固定される爪を設けるとともに、前記開口周縁には前記爪に対応する位置に、前記開口周縁が前記溝に嵌入されたときに前記開口周縁と前記溝の開口との間の隙間を閉じる突縁を形成し、
前記箱体と、これに覆嵌するとともに開口周縁を前記溝に嵌入し、前記爪により係止固定した前記カバー部材の内面とで、前記ＩＣタグを挟み該ＩＣタグを前記カバー部材の内面に貼着せしめる。 
【０００８】
請求項１によれば、ＩＣタグの両面を、基板ケースと、ＩＣタグを被覆するカバー部に貼着せしめたこと、カバー部材を基板ケースに係止固定せしめたことにより２重の不正防止の対策をとった。即ち、ＩＣタグを剥がすためにはカバー部材を外さなければならないが、カバー部材は従来構造のように開閉可能ではなく基板ケースに固定されており外すことができない。仮に破壊してカバー部材を外せたとしても、カバー部材とＩＣタグとが貼着してあるのでカバー部材を外すことでＩＣタグが破壊される。よって不正行為の発見および予防に高い効果を奏する。
特に、基板ケースの側部にＩＣタグを貼着する箱体を設け、カバー部材は箱体を覆う蓋形にしたので、両者によりＩＣタグを挟むようにＩＣタグの両面を好適に基板ケースおよびカバー部材に貼着することができる。
更に、カバー部材の開口周縁に設けた爪により、開口周縁を嵌入する基板ケースの溝に好適に係止固定でき、かつ開口周縁の突縁により、開口周縁とこれを嵌入した溝との隙間を塞ぐので、例えば隙間に先の細いドライバなどの工具を挿し込むことができず、工具により爪の係止が解除されることを防ぐ。
【図面の簡単な説明】
【００１９】
【図１】本発明を適用した遊技機の正面図である。
【図２】前記遊技機の背面における電気的装置の配置状態を示す図である。
【図３】前記遊技機に用いる基板ケースの分解斜視図である。
【図４】図４（ａ）は前記基板ケースを閉じた状態の正面図、図４（ｂ）は側面図である。
【図５】ＩＣタグの貼着およびカバー部材の組付けを示す要部分解斜視図である。
【図６】前記ＩＣタグの平面図である。
【図７】図５のＶＩＩ−ＶＩＩ線に沿う断面図である。
【図８】前記基板ケースの箱体および溝を示す要部斜視図である。
【図９】前記カバー部材の爪を示す平面図である。
【図１０】図９のＸ−Ｘ線に沿う位置で前記爪を前記溝に係合せしめた状態の断面図である。
【発明を実施するための最良の形態】
【００２０】
代表的な遊技機であるパチンコ機に本発明適用した実施形態を説明する。
図１に示すように、パチンコ機５０は、縦長の固定外郭保持枠をなす外枠５１に、ヒンジ５３を介して、前枠５２および図略の内枠が開閉可能に設けられている。前枠５２には板ガラス６１が嵌められ、板ガラス６１の奥には前記内枠に保持された遊技盤６０が配置されている。図は省略するが遊技盤６０には、遊技の進行に応じて図柄を変動表示せしめる表示装置、遊技球を入球させる複数の入球口や入賞口が設けられている。
【００２１】
前枠５２の下半部には上下に上皿５５と下皿６３とが設けられている。下皿６３の右側には発射ハンドル６４が設けられ、該発射ハンドル６４を操作することにより上皿５５から供給された遊技球が遊技盤６０に向けて発射される。発射された遊技球が入賞すると、上皿５５に賞球が払い出される。また下皿６３は上皿５５から溢れた賞球を受ける。
本パチンコ機５０はいわゆるＣＲ機であって、プリペイドカードの読み書きを行うプリペイドカードユニット(ＣＲユニット)５６が付設されている。
【００２２】
図２に示すように、パチンコ機５０の背面側には、前記遊技盤および内枠の背面に、遊技の動作を制御する主制御基板７０、前記表示装置を制御する図柄制御基板７１、音声やランプを制御する音声ランプ制御基板７２、賞球の払出や遊技球の発射を制御する賞球発射制御基板７３、電源装置７４などが設置されている。これらの制御基板類は透明又は半透明の合成樹脂ケースに収納され、前記背面に取付けられている。
【００２３】
前記主制御基板７０はマイコンを構成するＭＰＵ、ＲＯＭ、ＲＡＭ等の電子部品が多数実装された回路基板からなり、主制御基板７０はパチンコ機をマイコンによりプログラム制御する。主制御基板７０はＲＯＭの変更によるプログラムが変更されるといった不正行為を防止するため基板が収納されたケースにＩＣタグを貼着して管理することが行われている。以下、図３ないし図１０に基づいて、主制御基板７０を収納する基板ケース１、およびＩＣタグを貼着する不正行為の防止構造を説明する。
【００２４】
図３および図４に示すように、主制御基板７０は左右方向の横幅が長い長方形状をなす。
基板ケース１は、主制御基板７０をその表面側より被覆する浅い角形容器状の蓋部材１ａと、主制御基板７０の裏面側より蓋部材１ａを受けて蓋部材１ａの開口を塞ぐ底部材１ｂとからなる。
【００２５】
先に底部材１ｂの構成を説明する。底部材１ｂは合成樹脂の一体成形品からなり、長方形の略平板状の底面をなす底壁部１０を有する。底部材１ｂには、底壁部１０の長辺からなる上端縁および下端縁にそれぞれ、底壁部１０の表面側に突出し、かつ横方向(図３の左方向)に向けてほぼ直角に屈曲する略Ｌ字状の係止爪１０１が所定の間隔をおいて複数設けられている。
【００２６】
底部材１ｂには、前記係止爪１０１の屈曲方向の側壁 (図３の左側、以下、左側壁という)１１が形成され、左側壁１１には上端寄りおよび下端寄りの位置にそれぞれ、前記屈曲方向に沿う左横方向へ突出する舌片状の突出片１０２が上下一対設けられている。
【００２７】
一方、底部材１ｂの右側壁１２には、上端位置および下端位置にそれぞれ、底部材１ｂと蓋部材１ａとを連結固定する際に用いるカシメ用のボス１０３が上下一対形成されている。
更に右側壁１２には上下のカシメ用のボス１０３間に、右側壁１１から右横方向へ突出する突出部１３が形成されている。突出部１３は縦長の半割の箱型状をなし、蓋部材１ａと底部材１ｂとを組付けて基板ケース１を閉じたときに、突出部１３と対向する蓋部材１ａの半割の箱型状をなす突出部１９とで箱体Ｅを構成する。
【００２８】
蓋部材１ａは底部材１ｂと同様に合成樹脂の一体成形品からなる。蓋部材１ａは主制御基板７０の表面を覆う長方形状の表壁部１５と、外周に表壁部１５の上縁、下縁および左右の側縁からからほぼ直角に屈曲する縦壁状の周壁１６を備える。
蓋部材１ａには、表壁部１５の４隅付近に設けられたねじ穴からなる複数の締結部１５１に主制御基板７０の４隅がねじ締め固定されて蓋部材１ａ側に主制御基板７０が取付けられる。
尚、主制御基板７０には表面上端に複数のコネクタ類７０１が設けられ、これらに対応して表壁部１５の上端部には複数のコネクタ挿通穴１５５が設けられている。図３の１５６は主制御基板７０のコネクタ類７０１類のうちの小型コネクタに応じてこれらを挿通せしめるように設定された補助板で、補助板１５６により表壁部１５に形成された大型のコネクタ挿通穴と前記小型コネクタとの隙間を覆い隠す。
【００２９】
蓋部材１ａの前記周壁１６の上壁部および下壁部には、これらの内面側に、前記底部材１ｂの各係止爪１０１に対応してこれらを係合可能な係合部１５２が複数設けられている。係合部１５２は前記係止爪１０１のＬ字状の屈曲先端を横方向に嵌合係止可能とするものである。
【００３０】
蓋部材１ａの左側壁１７には、前記底部材１ｂの左側壁１１の各突出片１０２に対応してこれらを嵌入可能の角形筒状の嵌合穴１７１が上下一対設けられている。
蓋部材１ａの右側壁１８には、前記底部材１ｂの右側端のカシメ用のボス１０３に対応するボス１５４が上下一対形成されている。そして上下のボス１５４間には、底部材１ｂ側と同様に、右側壁１８から右横方向に突出する前記突出部１９が形成されている。
【００３１】
蓋部材１ａと底部材１ｂとを組付けるには、先ず、蓋部材１ａを左側に、底部材１ｂを右側にずらした状態で表裏方向に対向せしめ、蓋部材１ａの周壁１６の上下の壁部と底部材１ｂの上下の端縁とを前記対向方向（図３の矢印Ｔ方向）に衝合させる。このとき、底部材１ｂの上下の端縁の各係止爪１０１が蓋部材１ａの上下の壁部の各係合部１５２間に位置するようになし、かつ底部材１ｂの前記各突出片１０２が蓋部材１ａの各嵌合穴１７１と対向するように蓋部材１と底部材１ｂとを組み合わせる。
【００３２】
次に、蓋部材１ａと底部材１ｂとを、底部材１ｂの底壁部１０の壁面に沿う左右横方向(図３の矢印Ｓ方向)に互い相対移動せしめ、底部材１ｂの各係止爪１０１を蓋部材１ａの各係合部１５２に嵌合係止せしめ、底部材１ｂの各突出片１０２を蓋部材１ａの各嵌合穴１７１に嵌入せしめ、蓋部材１ａと底部材１ｂの左側壁１１，１７同志、および右側壁１２，１８同志を衝合せしめるとともに、蓋部材１ａの各カシメ用のボス１５４と底部材１ｂの各ボス１０３とを重ね合わせる。
そして、両ボス１５４，１０３に圧入したカシメ部材により両ボス１５４，１０３をカシメ固定することにより、蓋部材１ａと底部材１ｂとが組付け固定される。
【００３３】
更に蓋部材１ａと底部材１ｂとは、蓋部材１ａおよび底部材１ｂの右側端の両突出部１３，１９からなる箱体Ｅが複数のねじ部材Ｎにより表裏方向に締結される。そして、箱体Ｅの外面には不正防止用のＩＣタグ２が貼着され、更に箱体ＥにはＩＣタグ２を被覆するように蓋状のカバー部材３が覆嵌される。
【００３４】
図５ないし図１０に基づいてＩＣタグ２およびその周辺の構成を説明する。図５、図７、図８に示すように、蓋部材１ａおよび底部材１ｂの突出部１３，１９を衝合してなる箱体Ｅは、基板ケース１の右側壁１２，１８に沿う縦長の形状で、箱体Ｅの厚みは基板ケース１の厚みより薄くされている。そして箱体Ｅにはその厚み方向の中央に、右端の頂面部Ｅ１および上下の端面部を通る突出部１３，１９同志の衝合からなる蓋部材１ａおよび底部材１ａの衝合線Ｌを有する。
図略ではあるが、箱体Ｅ内には、縦横に複数の補強リブが設けられ、更に突出部１９には２つのねじ部材貫通穴が、これら対応して突出部１３にはねじ穴が設けられ、両突出部１９，１３が前記ねじ部材Ｎで締結されている。
【００３５】
箱体Ｅの根元には、蓋部材１ａの右側壁１８および底部材１ｂの右側壁１２にそれぞれ、前記カバー部材３の開口周縁（後述の先端部３２）を嵌入し、係止固定する溝１４が設けられている。蓋部材１ａ側および底部材１ｂ側の両溝１４は同一の構造で、蓋部材１ａの溝１４を中心に説明する。
箱体Ｅの蓋部材１ａ側の側面部Ｅ２の根元には、右側壁１８から右横方向へ突出し、側面部Ｅ２の根元と間隔をおいて平行に延びる突条１４１が形成されている。そして突条１４１と側面部Ｅ２の根元との間に溝１４が形成されている。溝１４内には、突条１４１の内面の上下２個所に、カバー部材３の爪３４を係止する係止部１４２が形成されている。
【００３６】
また溝１４の幅はカバー部材３の板厚よりも若干大きく設定されている。このため溝１４の内部の上下中央には側面部Ｅ２の根元に凸部１４３が設けられて、凸部１４３により溝１４内へ嵌入されたカバー部材３の開口周縁３２を、これに設けられた爪３４が前記係止部１４２に確実に係止するように突条１４１側へ規制するようにしている。
【００３７】
箱体Ｅの表面には、前記衝合線Ｌを有する頂面部Ｅ１と、表面側および裏面側の両側面部Ｅ２，Ｅ３に跨ってＩＣタグ２が貼着される。
【００３８】
ＩＣタグ２は従来公知のもので概略を説明する。図６に示すように、紙製又はポリエステルなど薄い合成樹脂製の角形のシート部材２０に、ＩＣチップ部２１とアンテナ部２２とが搭載されており、別装置であるスキャナーをかざすことにより、無線でＩＣチップ部２１に記憶された識別番号（ユニークＩＤ）、主制御基板管理番号（基板ケース１の蓋部材１ａの表面に貼り付けられたシールに記載された番号）、製造メーカー名、機種名などの情報を読み取ることが可能なものである。
【００３９】
シート部材２０は通常の取扱いではない異常な引張り力が作用することにより破断する脆弱性を有する。ＩＣチップ部２１はシート部材２０の中央に設けられている。そしてＩＣチップ部２１に電気的に接続されたアンテナ部２２，２２が、ＩＣチップ部２１とシート部材２０の２つの隅角を結ぶ対角線上に設けられている。尚、ＩＣタグ２は前記シート部材２０の破断により，ＩＣチップ部２１とアンテナ部２２が破断され、スキャナーによる読み取りが不可能な状態に破壊される。シート部材２０が合成樹脂製のものはＩＣチップ部２１とアンテナ部２２とが破断しやすいようにシート部材２０にミシン線が設けられている。
【００４０】
ＩＣタグ２にはその表面にセキュリティー印刷および型番（レーザーマーキング）がなされており、基板ケース１の表面側から印刷が見えるように貼着しなければならない。図６、図７に示すように、ＩＣタグ２は、ＩＣチップ部２１を有する中央の範囲２１０の裏面側（一方の面）が箱体Ｅの頂面部Ｅ１に接着剤（又は粘着剤）により貼着され、ＩＣタグ２の両側のアンテナ部２２に対する範囲２２０，２２０の裏面側（一方の面）がそれぞれ箱体Ｅの両側面部Ｅ２，Ｅ３に接着剤（又は粘着剤）により貼着されている。
【００４１】
図５、図７、図９に示すように、カバー部材３は透明な合成樹脂の一体成形品で、底面部３０と両側の側面部３１，３１とで基板ケース１側へ向けて開口する水平断面ほぼコ字形をなす。またカバー部材３は上端および下端は閉じられ、前記箱体Ｅに覆嵌する蓋形に形成されている。
カバー部材３の開口周縁には、長径方向の開口縁をなす両側面部３１，３１の端縁に、前記箱体Ｅの根元の溝１４，１４に嵌入せしめる先端部３２，３２が形成されている。尚、両先端部３２，３２は同一構造をなす。
【００４２】
先端部３２は、大部分がスリット３６により側面部３１から分離され、上下両側に設けられた細幅の基端部３３，３３により側面部３１の端縁とつながれている。先端部３２には、溝１４の２個所の係止部１４２に対応する位置には爪３４，３４が形成されている。爪３４，３４は、先端部３２の中央部から前記開口縁の長手方向に沿って延びる細いアーム部の先端に形成され、カバー部材３の開口方向へ向けてテーパー面をなす断面ほぼ三角形に形成されている。爪３４は前記アーム部の先端に設けられたことにより、先端部３２を溝１４に嵌入する際、前記アーム部が撓み、爪３４が溝１４内に圧入し、先端部３２が溝１４に完全に嵌入されることでアーム部の撓みが復元して、爪３４が係止部１４２に嵌合される。
【００４３】
また先端部３２には、その基端側の位置（爪３４に対応する位置）で、スリット３６沿いに、先端部３２を溝１４に嵌入せしめて爪３４を係止部１４２に係止せしめたときに、先端部３２と溝１４との隙間を覆う(閉じる)突縁３５が形成されている。
【００４４】
カバー部材３は、ＩＣタグ２が貼着され基板ケース１の箱体Ｅをその右側（頂面部Ｅ１側）から覆嵌せしめ（図５、図７の矢印Ｒ方向）、カバー部材３の各先端部３２を基板ケース１の各溝１４に嵌入せしめる。この状態で先端部３２の各爪３４が溝１４の各係止部１４２に係止し、これにより、カバー部材３は基板ケース１に固定される。カバー部材３は覆嵌の方向と係止固定の方向が同方向で、直線的な移動により基板ケース１側に取付けることができる。
【００４５】
そしてカバー部材３は、箱体Ｅを覆嵌して基板ケース１に固定されたときに、底面部３０の内面が、前記覆嵌の方向に沿って、この方向と直交するＩＣタグ２のＩＣチップ部２１を有する中央の範囲２１０の表面（他方の面）に接着剤（又は粘着剤）により貼着される。
ところで、ＩＣタグ２の表面にはＩＣチップ部２１により若干の凹凸があるためこれらの凹凸を吸収して貼着できるように、また基板ケース１の箱体Ｅにカバー部材３を覆嵌したときの組付精度のバラツキにより箱体Ｅの頂面部Ｅ１とカバー部材３の底面部３０の内面との間に隙間が生じてもこれを吸収してＩＣタグ２と貼着できるように、予めカバー部材３の底面部３０の内面には、厚み（約１〜２ｍｍ）を有するシート状（板状）の透明な合成樹脂製のクッション部材４を貼着しておき、該クッション部材４にＩＣタグ２の前記中央の範囲２１０表面を接着剤(又は粘着材)により貼着せしめる。尚、クッション部材４は１Ｃタグ２側よりも接着強度の強い接着剤(又は粘着材)によりカバー部材３の底面部３０の内面に接着されている。
【００４６】
図例では、クッション部材４をカバー部材３側に設けたが、これに限らず箱体Ｅの頂面部Ｅ１に設けてもよい。クッション部材４を箱体Ｅの頂面部Ｅ１に貼着する場合には、透明な合成樹脂製としなくてもよい。
クッション部材４はＩＣタグ２とは別部材として説明したが、ＩＣタグ２の表面にクッション部材４と同等な役割を持たせたクッション部を設けたものとしてもよく、別部材に限定されるものではない。また、ＩＣタグ２の表面に対応する位置にクッション部材４を設けるものとして説明したが、ＩＣタグ２の裏面に対応する位置に設けても、ＩＣタグ２の表面に対応する位置及び裏面に対応する位置に個々に設けてもよく、基板ケース１の箱体Ｅの頂面部Ｅ１とカバー部材３の底面部３０の内面とでＩＣタグを挟み付けた際に隙間が生じなければ差し支えない。
【００４７】
本実施形態によれば、基板ケース１に設けられた箱体Ｅと、これに覆嵌せしめるカバー部材３とでＩＣタグ２を挟み付け、ＩＣタグ２の両面を、箱体Ｅの表面Ｅ１，Ｅ２，Ｅ３と、カバー部材３の底面部３０内面に貼着せしめたこと、およびカバー部材３を基板ケース１に係止固定せしめたことにより２重の不正防止の対策とした。
【００４８】
不正に基板ケース１を開くにはＩＣタグを剥がす必要があり、ＩＣタグ２を剥がすためにはカバー部材３を外さなければならない。しかしながら、カバー部材３は従来構造のように開閉可能ではなく、基板ケース１に固定されており外すことができない。
カバー部材３は、表側および裏側の両先端部３２、３２を基板ケース１の蓋部材１ａおよび底部材１ｂ側の溝１４，１４にそれぞれ係止したこと、各先端部３２の爪３２が溝１４内の凸部１４３により溝１４内係止部１４２に確実に係止されること、更に、溝１４と先端部３２との隙間に先の細いドライバなどの工具が挿し込まれ爪３４の係止が解除されることを防ぐように突縁３５により前記隙間を塞いだので、カバー部材３は所謂嵌め殺しの状態で基板ケース１に固定され、破壊されなければ外れない。
仮に破壊してカバー部材３を外せたとしても、カバー部材３の底面部３０の内面とＩＣタグ２とが貼着してあるので、カバー部材３を外すことでＩＣタグ２が破壊される。よって不正行為の発見および予防に高い効果を奏する。
【００４９】
ＩＣタグ２とカバー部材３とは、カバー部材３を基板ケース１の箱体Ｅに覆嵌する方向に対して直交する箱体Ｅの頂面部Ｅ１に貼着したＩＣタグ２のＩＣチップ部２１側とカバー部材の底面部３０の内面のみを貼着するようにしたので両者を作業性良好に貼着できる。
例えばＩＣタグ２のアンテナ部２２側とカバー部材３の側面部３１の内面とを貼着しようとすると、覆嵌する途中でＩＣタグ２のアンテナ部２２側とカバー部材３の側面部３１の内面とが接触した場合に互いに張り付いてしまい、この状態でカバー部材３を完全に覆嵌するとＩＣタグ２が破れるおそれがある。このため覆嵌方向に沿うＩＣタグ２のアンテナ部２２側とカバー部材３の側面部３１の内面とは貼着しないことが望ましい。
またカバー部材３は直線的な移動により基板ケース１に取付けるので、ＩＣタグに損傷を与えない。
【００５０】
またＩＣタグ２とカバー部材３とは、ＩＣタグ２のＩＣチップ部２１とカバー部材の底面部３０の内面のみを貼着せしめたので、不正によりカバー部材３が破壊されて外されたときに、カバー部材３に貼着されていないＩＣタグ２のアンテナ部２２側は基板ケース１側に確実に残ることとなり、カバー部材３に貼着されたＩＣチップ部２１側がカバー部材３に引っ張られてアンテナ部２２側とＩＣチップ部２１側との間で破断してＩＣタグ２が確実に破壊されるといった効果を奏する。
【００５１】
更に、カバー部材３が外されたときに、確実にＩＣタグ２が破壊されるように、ＩＣタグ２のアンテナ部２２の基板ケース１側への接着強度、ＩＣチップ部２１の基板ケース１側への接着強度、ＩＣチップ部２１のカバー部材３側への接着強度に強弱の差を設定することが望ましい。
即ち、ＩＣタグ２のアンテナ部２２の基板ケース１側への接着強度をＩＣチップ部２１の基板ケース１側への接着強度よりも強くする一方、ＩＣチップ部２１のカバー部材３側への接着強度を基板ケース１側への接着強度よりも強くする。
【００５２】
尚、本発明は前記実施形態に限定されるものではなく、本発明の要旨を逸脱しない範囲でさまざまに実施できることは勿論である。例えば前記実施形態では、基板ケース１に設けた箱体ＥにＩＣタグ２を貼着してカバー部材３で被覆するようにしたが、これに限らず、基板ケースの蓋部材と底部材との衝合線を挟んだ平坦な外面にＩＣタグを平面状に貼着せしめ、該ＩＣタグを被覆する平板面を備えた板状のカバー部材で被覆し貼着するようにしてもよい。この場合、カバー部材の外周を基板ケースに係止固定（嵌め殺し）する。
またＩＣタグ２の貼着に用いるクッション部材４は、ＩＣタグ２のＩＣタグ部２１が基板ケース１側の箱体Ｅの頂面部Ｅ１とカバー部材３の底面部３０の内面とに確実に当接するのであれは必ずしも必要なものではない。しかしながら、クッション部材４が無いと前記頂面部Ｅ１と底面部３０の内面とを衝合させたときの精度が要求されることになり、またクッション部材４はＩＣタグ２を保護する効果が期待できるためクッション部材４を設けることが望ましい。
【符号の説明】
【００５３】
１  基板ケース
１ａ  蓋部材
１ｂ  底部材
１３  底部材の突出部（側壁の外面）
１４  溝
１９  蓋部材の突出部（側壁の外面）
２  ＩＣタグ
２０  シート部材
２１  ＩＣチップ部
２２  アンテナ部
３  カバー部材
３０  底面部
３２  先端部（開口周縁）
３４  爪
３５  突縁
４  クッション部材
７０  主制御基板(回路基板)
Ｅ  基板ケースの箱体
Ｅ１  頂面部
Ｅ２，Ｅ３  側面部
Ｌ  衝合線
【図１】
0005577484.tif 000002
【図２】
0005577484.tif 000003
【図３】
0005577484.tif 000004
【図４】
0005577484.tif 000005
【図５】
0005577484.tif 000006
【図６】
0005577484.tif 000007
【図７】
0005577484.tif 000008
【図８】
0005577484.tif 000009
【図９】
0005577484.tif 000010
【図１０】
0005577484.tif 000011